(57)【要約】【課題】管部材に損傷を与えることなく管部材の端部からの接続管の突出量を容易に調節することができる給水管と給水栓との接続構造及び接続方法を提供する。【解決手段】一端部１３ａが給水管１１の上端部１１ａに接続される管部材１３と給水栓１２とを互いに接続するための接続管１４の接続管本体２３を合成樹脂材料で成形し、該接続管本体の挿入端部２３ａを管部材１３の他端部１３ｂに挿入し、接続管本体２３及び管部材１３を互いに例えば接着剤により接合する。【選択図】図１
2007170111.tif 000002
【特許請求の範囲】
【請求項１】
建物の壁を構成し互いに間隔をおいて配置される一対の壁体間を伸びる合成樹脂製の給水管と、端部に雄ねじ部が形成され、前記端部が他方の前記壁体をその前記一方の壁体側と反対側から貫通するように配置される金属製の給水栓とを互いに接続する構造であって、一端部が前記給水管の端部に接続され、前記給水管により案内される流体の流路の方向を前記給水栓の前記端部へ向けて転換するための合成樹脂製の管部材と、該管部材と前記給水栓とを互いに接続するための接続管とを備え、該接続管は、一端部が前記管部材の他端部に挿入され、他端部に前記給水栓の前記端部が挿入される合成樹脂製の接続管本体と、該接続管本体の前記他端部内に埋設され、前記雄ねじ部に螺合可能な雌ねじ部が内周面に形成された金属製の筒状体からなる雌ねじ部材とを備えることを特徴とする給水管と給水栓との接続構造。
【請求項２】
前記接続管本体の外周面には、前記接続管本体の前記他端部からの長さ寸法を読み取るための目盛りが付されていることを特徴とする請求項１に記載の給水管と給水栓との接続構造。
【請求項３】
前記管部材の外周面には、前記管部材への前記接続管本体の最大挿入量を示す表示部が設けられていることを特徴とする請求項１又は２に記載の給水管と給水栓との接続構造。
【請求項４】
前記接続管本体の前記他端部には、前記接続管を被取付面に取り付けるための取付座が設けられていることを特徴とする請求項１乃至３のいずれか一項に記載の給水管と給水栓との接続構造。
【請求項５】
前記管部材は、その横断面がほぼＬ字状をなすように屈曲しており、前記管部材の前記両端部のうちいずれか一方の端部には、前記管部材を被取付面に取り付けるための取付座が設けられていることを特徴とする請求項１乃至４のいずれか一項に記載の給水管と給水栓との接続構造。
【請求項６】
建物の壁を構成し互いに間隔をおいて配置される一対の壁体間を伸びる合成樹脂製の給水管と、端部に雄ねじ部が形成され、前記端部が他方の前記壁体をその前記一方の壁体側と反対側から貫通するように配置される金属製の給水栓とを互いに接続する方法であって、
前記給水管により案内される流体の流路の方向を前記給水栓の前記端部へ向けて転換するための合成樹脂製の管部材の一端部を前記給水管の端部に接続すること、
前記管部材と前記給水栓とを互いに接続するための接続管の合成樹脂製の接続管本体の一端部を前記管部材の他端部に挿入すること、
前記接続管本体を前記管部材の前記他端部に最大挿入量で挿入したときに、前記管部材からの前記接続管本体の突出量が前記管部材の前記他端部と前記他方の壁体との間隔の大きさよりも大きい場合、前記突出量を調節すべく前記接続管本体を前記間隔の大きさに応じて切断すること、
を含むことを特徴とする給水管と給水栓との接続方法。
【発明の詳細な説明】
【技術分野】
【０００１】
本発明は、給水管と給水栓とを互いに接続する接続構造及び接続方法に関する。
【背景技術】
【０００２】
従来、建物の壁を構成し互いに間隔をおいて配置された一対の壁体間を伸びる合成樹脂製の給水管と、雄ねじ部が形成された端部が他方の壁体の一方の壁体側と反対側から貫通するように配置された給水栓とを互いに接続する接続構造が知られている（例えば、特許文献１参照。）。この接続構造は、給水管に案内される流体の流路の方向を給水栓の端部へ向けて転換するための管部材と、該管部材及び給水栓を互いに接続するための金属製の接続管とを備える。
【０００３】
管部材は、例えばポリ塩化ビニルのような合成樹脂からなり一端部に給水管の端部が挿入される挿入端部を有する管本体と、該管本体の他端部内に埋設され雌ねじ部が内周面に形成された金属製の筒状体からなる雌ねじ部材とを備える。接続管には、長さ寸法の異なる複数の種類があり、各種の接続管は、管本体の他端部と給水栓の端部との間隔の大きさに応じて選択的に用いられている。接続管の一端部の外周面には、管部材の雌ねじ部に螺合可能な雄ねじ部が形成されており、接続管の他端部の内周面には、給水栓の端部の雄ねじ部に螺合可能な雌ねじ部が形成されている。
【０００４】
給水管と給水栓とを互いに接続する際、前記他方の壁体を配置する前に、前記一方の壁体に管本体を固定し、該管本体に給水管及び接続管をそれぞれ接続する。このとき、長さ寸法の異なる複数の接続管から、管本体の他端部と前記他方の壁体との間隔の想定される大きさに応じた長さ寸法を有する接続管を選択する。続いて、管本体への接続管のねじ込み量を変化させることにより、接続管の雌ねじ部への給水栓の雄ねじ部の螺合が可能となるように管本体の他端部からの接続管の突出量を調節する。その後、前記他方の壁体及び給水栓を配置し、該給水栓の雄ねじ部を接続管の雌ねじ部に螺合させることにより、給水栓及び接続管を互いに接続する。これにより、管部材及び接続管を介して給水管及び給水栓を互いに接続することができる。
【特許文献１】特開２００１−３５５７８１号（第３−５頁、図１）
【発明の開示】
【発明が解決しようとする課題】
【０００５】
ところで、管部材の管本体の一端部と前記他方の壁体との間隙の実際の大きさが想定した間隔の大きさよりも小さく、施工現場に用意された接続管を最大のねじ込み量で管本体にねじ込んだときの管本体からの接続管の突出量が管本体及び前記他方の壁体間の実際の間隔よりも大きくなる場合、給水栓の雄ねじ部を接続管の雌ねじ部に螺合することができない。そこで、管本体の他端部からの接続管の突出量を小さくするために、接続管の長さ寸法を短くすべく該接続管を切断することが考えられる。
【０００６】
しかしながら、接続管が金属製であることから、施工現場に専用の切断装置が用意されていない限り接続管を容易に切断することができない。また、施工現場に切断装置がたとえ用意されていたとしても、接続管の両端部にそれぞれ給水栓及び管本体との接続のための雄ねじ部及び雌ねじ部が形成されているため、接続管の両端部を切り落とすことができず、接続管の長さ寸法を小さくすることができない。
【０００７】
このため、管本体からの接続管の突出量を調節するために、接続管を管本体に強引にねじ込んでしまうことがある。接続管を管本体に強引にねじ込んでしまうと、接続管の雄ねじ部が雌ねじ部材内を通過して管本体の内周面に切り込んでしまい、管部材に損傷を与える虞がある。
【０００８】
そこで、本発明の目的は、管部材に損傷を与えることなく管部材からの接続管の突出量を容易に調節することができる給水管と給水栓との接続構造を提供することにある。
【課題を解決するための手段】
【０００９】
上記課題を解決するために、請求項１に記載の発明は、建物の壁を構成し互いに間隔をおいて配置される一対の壁体間を伸びる合成樹脂製の給水管と、端部に雄ねじ部が形成され、前記端部が他方の前記壁体をその前記一方の壁体側と反対側から貫通するように配置される金属製の給水栓とを互いに接続する構造であって、一端部が前記給水管の端部に接続され、前記給水管により案内される流体の流路の方向を前記給水栓の前記端部へ向けて転換するための合成樹脂製の管部材と、該管部材と前記給水栓とを互いに接続するための接続管とを備え、該接続管は、一端部が前記管部材の他端部に挿入され、他端部に前記給水栓の前記端部が挿入される合成樹脂製の接続管本体と、該接続管本体の前記他端部内に埋設され、前記雄ねじ部に螺合可能な雌ねじ部が内周面に形成された金属製の筒状体からなる雌ねじ部材とを備えることを特徴とする。
【００１０】
請求項２に記載の発明は、請求項１に記載の発明において、前記接続管本体の外周面には、前記接続管本体の前記他端部からの長さ寸法を読み取るための目盛りが付されていることを特徴とする。
【００１１】
請求項３に記載の発明は、請求項１又は２に記載の発明において、前記管部材の外周面には、前記管部材への前記接続管本体の最大挿入量を示す表示部が設けられていることを特徴とする。
【００１２】
請求項４に記載の発明は、請求項１乃至３のいずれか一項に記載の発明において、前記接続管本体の前記他端部には、前記接続管を被取付面に取り付けるための取付座が設けられていることを特徴とする。
【００１３】
請求項５に記載の発明は、請求項１乃至４のいずれか一項に記載の発明において、前記管部材は、その横断面がほぼＬ字状をなすように屈曲しており、前記管部材の前記両端部のうちいずれか一方の端部には、前記管部材を被取付面に取り付けるための取付座が設けられていることを特徴とする。
【００１４】
請求項６に記載の発明は、建物の壁を構成し互いに間隔をおいて配置される一対の壁体間を伸びる合成樹脂製の給水管と、端部に雄ねじ部が形成され、前記端部が他方の前記壁体をその前記一方の壁体側と反対側から貫通するように配置される金属製の給水栓とを互いに接続する方法であって、前記給水管により案内される流体の流路の方向を前記給水栓の前記端部へ向けて転換するための合成樹脂製の管部材の一端部を前記給水管の端部に接続すること、前記管部材と前記給水栓とを互いに接続するための接続管の合成樹脂製の接続管本体の一端部を前記管部材の他端部に挿入すること、前記接続管本体を前記管部材の前記他端部に最大挿入量で挿入したときに、前記管部材からの前記接続管本体の突出量が前記管部材の前記他端部と前記他方の壁体との間隔の大きさよりも大きい場合、前記突出量を調節すべく前記接続管本体を前記間隔の大きさに応じて切断すること、を含むことを特徴とする。
【発明の効果】
【００１５】
請求項１に記載の発明によれば、管部材及び給水栓を互いに接続するための接続管の接続管本体が合成樹脂製であることから、金属により形成された場合に比べて接続管本体を容易に切断することができる。また、接続管本体の一端部が管部材の他端部に挿入されることから、接続管本体の一端部には、従来の接続管に形成された雄ねじ部のような管部材との接続のためのねじ部は形成されていないので、管部材との接続を阻害することなく接続管本体の一端部を切り落とすことができる。これにより、接続管本体の軸線に沿った長さ寸法を容易に調節することができる。従って、管部材の他端部と前記他方の壁体との間隙の実際の大きさが想定した間隔の大きさよりも小さく、接続管本体の一端部を管部材の他端部に最大挿入量で挿入したときの管部材からの接続管本体の突出量が管部材及び前記他方の壁体間の実際の間隔の大きさよりも大きい場合でも、接続管本体の一端部を切断し、接続管本体を管部材の他端部に挿入することにより、管部材からの接続管本体の突出量を管部材の他端部と前記他方の壁体との間の間隙の実際の大きさに応じて容易に調節することができる。
【００１６】
これにより、管部材の他端部と前記他方の壁体との間隙の実際の大きさが想定した間隔の大きさよりも小さい場合でも、管部材の他端部からの接続管本体の突出量を調節するために接続管本体を管部材の他端部に強引に押し込む必要はないので、接続管本体を管部材の他端部に強引に押し込むことによる従来のような管部材の破損を確実に抑制することができる。
【００１７】
請求項２に記載の発明によれば、接続管本体の外周面に、接続管本体の他端部からの長さ寸法を読み取るための目盛りが付されていることから、管部材の他端部と前記他方の壁体との間の間隙の大きさに応じた接続管本体の一端部の切断位置を容易に視認することができる。
【００１８】
請求項３に記載の発明によれば、管部材の外周面には、管部材の他端部への接続管本体の一端部の最大挿入量を示す表示部が設けられていることから、管部材の他端部と給水栓の端部との間の間隙の大きさに応じて接続管本体の一端部を切断する際、接続管本体の一端部から切断位置までの長さ寸法を計算するときに、管部材の他端部への接続管本体の一端部の挿入量を考慮して計算することができる。これにより、接続管本体の一端部から切断位置までの長さ寸法をより正確に求めることができる。
【００１９】
請求項４に記載の発明によれば、接続管本体の他端部に、接続管を被取付面に取り付けるための取付座が設けられていることから、接続管を各壁体の面及び該各壁体間に架け渡された建材の面等に、給水管に案内された流体の流路に応じて取付座を介して容易に固定することができる。また、取付座が接続管本体の切断されない他端部に設けられていることから、接続管本体の切断時に取付座が切断の妨げになることはない。
【００２０】
請求項５に記載の発明によれば、管部材は、その横断面がほぼＬ字状をなすように屈曲しており、両端部のうちいずれか一方の端部には、管部材を被取付面に取り付けるための取付座が設けられていることから、例えば前記一方の壁体に沿って上下方向に伸びる給水管に案内される流体の流路を前記他方の壁体へ向けて転換するとき、管部材の前記一方の端部が上方又は下方へ向き且つ他方の端部が前記他方の壁体へ向くように管部材を配置し、取付座を前記一方の壁体の面に取り付けることにより、取付座を介して管部材を前記一方の壁体に固定することができる。また、各壁体間に建材が架け渡されている場合には、管部材を前記一方の端部が前記他方の壁体へ向くように配置し、取付座を前記建材の面に取り付けることにより、取付座を介して管部材を前記建材に固定することができる。
【００２１】
請求項６に記載の発明によれば、給水管により案内される流体の流路の方向を給水栓の端部へ向けて転換するための合成樹脂製の管部材の一端部を給水管の端部に接続し、管部材と給水栓とを互いに接続するための接続管の合成樹脂製の接続管本体の一端部を管部材の他端部に挿入し、接続管本体を管部材の他端部に最大挿入量で挿入したときに、管部材からの接続管本体の突出量が管部材の他端部と他方の壁体との間隔の大きさよりも大きい場合、突出量を調節すべく接続管本体を間隔の大きさに応じて切断する。これにより、管部材の他端部と前記他方の壁体との間隙の実際の大きさが想定間隔の大きさよりも小さく、接続管本体の一端部を管部材の他端部に最大挿入量で挿入したときの管部材からの接続管本体の突出量が管部材及び前記他方の壁体間の実際の間隔の大きさよりも大きい場合でも、接続管本体を切断し、接続管本体を管部材の他端部に挿入することにより、管部材からの接続管本体の突出量を管部材の他端部と前記他方の壁体との間の間隙の実際の大きさに応じて容易に調節することができる。
【発明を実施するための最良の形態】
【００２２】
本発明を図示の実施例に沿って説明する。
【実施例】
【００２３】
図１は、住宅に設けられる給水管１１と給水栓１２とを互いに接続する接続構造１０に本発明を適用した例を示す。本発明に係る接続構造１０は、給水管１１に接続され、該給水管に案内される水の流路の方向を転換するための管部材１３と、該管部材及び給水栓１２を互いに接続するための接続管１４とを備える。
【００２４】
給水管１１は、図示の例では、住宅の外周壁１５内に配置されている。外周壁１５は、住宅の外方側に位置するように配置された外壁体１６と、該外壁体に住宅の内方へ間隔をおいて配置された内壁体１７とを備える。給水管１１は、図示の例では、例えばポリ塩化ビニルのような合成樹脂からなり、各壁体１６，１７間に外壁体１６の近傍で該壁体に沿って上下方向に伸びるように配置されている。
【００２５】
給水栓１２は、従来よく知られているように、金属材料で成形されており、給水管１１内を経て住宅の例えば図示しない洗面所に供給される水の流量を制御するための栓である。給水栓１２は、接続管１４に接続される接続端部１８を有し、該接続端部の外周面１８ａには、接続端部１８の周方向に沿ってねじ切りされた雄ねじ部１９が形成されている。給水栓１２は、内壁体１７の外壁体１６側と反対側に接続端部１８が内壁体１７に形成された貫通孔２０を貫通するように配置されている。
【００２６】
管部材１３は、例えばポリ塩化ビニルのような合成樹脂からなり、図示の例では、その縦断面がほぼＬ字状をなすように屈曲している。管部材１３の一端部１３ａには、給水管１１の上端部１１ａが挿入され、管部材１３の他端部１３ｂには、接続管１４の後述する接続管本体２３の挿入端部２３ａが挿入される。管部材１３の各端部１３ａ，１３ｂの内径の大きさは、図示の例では、互いに等しい大きさを有する。
【００２７】
管部材１３の他端部１３ｂにおける外周面１３ｃには、図２に示すように、他端部１３ｂへの前記接続管本体２３の挿入端部２３ａの挿入可能な量の最大値すなわち最大挿入量を示す表示部２１が設けられている。表示部２１は、管部材１３の他端部１３ｂの軸線に沿って直線的に伸び、前記接続管本体２３の挿入端部２３ａの最大挿入位置を示す標線２１ａと、該標線の長さ寸法を示す数字２１ｂとで構成されている。
【００２８】
また、図示の例では、管部材１３の一端部１３ａにおける外周面１３ｃには、管部材１３を被取付面に取り付けるための取付座２２が設けられている。取付座２２は、管部材１３の一端部１３ａの軸線に沿って伸びる板状をなしており、その板厚方向が管部材１３の一端部１３ａの径方向に一致するように配置されている。管部材１３は、図１に示す例では、その他端部１３ｂが給水栓１２の接続端部１８へ向き且つ一端部１３ａが下方へ向くように配置されており、取付座２２が例えば図示しないボルト及びナットのような締結部材又は接着剤により外壁体１６の内面１６ａに取り付けられることにより、該外壁体に固定されている。
【００２９】
管部材１３及び給水栓１２を互いに接続するための接続管１４は、図１に示すように、円筒状の前記した接続管本体２３と、内周面２５ａに給水栓１２の雄ねじ部１９に螺合可能な雌ねじ部２４が形成された円筒状の雌ねじ部材２５とを備える。
【００３０】
接続管本体２３は、管部材１３と同様な合成樹脂材料で成形されている。また、接続管本体２３は、その一端部に管部材１３の他端部１３ｂに挿入される前記した挿入端部２３ａを有し、他端部に給水栓１２の接続端部１８が挿入される嵌合端部２３ｂを有する。接続管本体２３の軸線に沿った長さ寸法は、長さ寸法が互いに異なる従来のような複数の接続管のうち、最も長さ寸法が長い接続管の長さ寸法に設定されている。
【００３１】
接続管本体２３の外周面２３ｃには、図３に示すように、嵌合端部２３ｂからの接続管本体２３の軸線に沿った長さ寸法を読み取るための目盛り２６が付されている。目盛り２６は、図示の例では、１ｃｍ間隔で付されている。
【００３２】
また、接続管本体２３の嵌合端部２３ｂにおける外周面２３ｃには、接続管１４を被取付面に取り付けるための取付座２７が設けられている。取付座２７は、接続管本体２３の軸線に沿って伸びる板状をなしており、その板厚方向を接続部材２３の径方向に一致させて配置されている。
【００３３】
雌ねじ部材２５は、金属材料で成形されており、図１に示すように、その軸線が接続管本体２３の軸線に一致し且つ内周面１５ａが接続管本体２３の内方に露出するように、接続管本体２３の嵌合端部２３ｂ内に埋設されている。接続管本体２３への雌ねじ部材２５の埋設は、例えば従来よく知られたインサート成形により行われる。
【００３４】
給水管１１と給水栓１２とを互いに接続する際、先ず、内壁体１７を配置する前に配置された外壁体１６に沿って伸びる給水管１１の上端部１１ａを管部材１３の一端部１３ａに挿入し、例えば図示しない接着剤により給水管１１及び管部材１３を互いに接合する。更に、この状態で、管部材１３の一端部１３ａに設けられた取付座２２を外壁体１６の内面１６ａに取り付けることにより、管部材２３を外壁体１６に固定する。
【００３５】
次に、管部材１３の他端部１３ｂに接続管１４の接続管本体２３の挿入端部２３ａを挿入する。このとき、管部材１３の他端部１３ｂと内壁体１７との間隔Ｌ（図１参照。）の大きさが想定した間隔の大きさよりも小さい場合に、管部材１３の他端部１３ｂに接続管本体２３の挿入端部２３ａをその最大挿入量で挿入したときの管部材１３からの接続管本体２３の突出量が、外壁体１６と後に配置される内壁体１７との間隔の大きさから求められる管部材１３の他端部１３ｂ及び内壁体１７間の間隔Ｌの大きさよりも大きいとき、管部材１３からの接続管本体２３の突出量を調節する。
【００３６】
管部材１３からの接続管本体２３の突出量を調節する際、先ず、前記した間隔Ｌの大きさと、管部材１３に設けれた表示部２１の数字２１ｂとを足し合わせ、その値を、接続管本体２３の外周面２３ｃに付された目盛り２６から読み取る。次に、読み取った目盛り２６の位置、又は、その位置と間隔Ｌの大きさに相当する目盛り２６の位置との間で、接続管本体２３を切断することにより挿入端部２３ａを部分的に除去する。接続管本体２３の切断は、例えば図示しないカッターにより行うことができる。接続管本体２３の挿入端部２３ａを除去することにより、接続管本体２３の軸線に沿った長さ寸法が調節される。
【００３７】
接続管本体２３の長さ寸法を調節した後、接続管本体２３の挿入端部２３ａを管部材１３の他端部１３ｂに挿入し、該他端部からの接続管本体２３の突出量が前記間隔Ｌの大きさにほぼ等しくなるように、管部材１３の他端部１３ｂへの接続管本体２３の挿入量を微調整する。これにより、管部材１３からの接続管本体２３の突出量の調節が終了する。その後、管部材１３の他端部１３ｂと接続管本体２３の挿入端部２３ａとを例えば接着剤により接合する。これにより、接続管１４及び給水管１１が管部材１３を介して互いに接続される。
【００３８】
続いて、内壁体１７を所定の場所に配置する。内壁体１７に、接続管本体２３の嵌合端部２３ｂに対応する位置で前記した貫通孔２０を予め形成しておくことが望ましい。管部材１３の他端部１３ａからの接続管本体２３の突出量が前記間隔Ｌの大きさに等しいことから、内壁体１７を配置した状態では、内壁体１７の貫通孔２０の縁部に接続管本体２３の嵌合端部２３ｂが当接する。これにより、貫通孔２０と接続管本体２３の嵌合端部２３ｂとが連通する。
【００３９】
その後、給水栓１２の接続端部１８を内壁体１７に形成された貫通孔２０に挿入し、接続端部１８に形成された雄ねじ部１９を接続管本体２３の嵌合端部２３ｂに埋設された雌ねじ部材２５の雌ねじ部２４に螺合させる。これにより、給水栓１２及び管部材１３が接続管１４を介して互いに接続され、給水管１１及び給水栓１２が管部材１３及び接続管１４を介して互いに接続される。
【００４０】
本実施例によれば、前記したように、管部材１３及び給水栓１２を互いに接続するための接続管１４の接続管本体２３が合成樹脂製であることから、金属により形成された場合に比べて接続管本体２３を容易に切断することができる。また、接続管本体２３の挿入端部２３ａが管部材１３の他端部１３ｂに挿入されることから、接続管本体２３の挿入端部２３ａには、従来の接続管に形成された雄ねじ部のような管部材との接続のためのねじ部は形成されていないので、管部材１３との接続を阻害することなく接続管本体２３の挿入端部２３ａを切り落とすことができる。これにより、接続管本体２３の軸線に沿った長さ寸法を容易に調節することができる。
【００４１】
従って、管部材１３の他端部１３ｂと外周壁１５の内壁体１７との間隙の大きさが想定した大きさよりも小さく、接続管本体２３の挿入端部２３ａを管部材１３の他端部１３ｂに最大挿入量で挿入しても管部材１３からの接続管本体２３の突出量が管部材１３及び内壁体１７間の実際の間隔Ｌの大きさより大きい場合でも、接続管本体２３の挿入端部２３ａを切断し、接続管本体２３を管部材１３の他端部１３ｂに挿入することにより、管部材１３の他端部１３ｂからの接続管本体２３の突出量を管部材１３の他端部１３ｂと内壁体１７との間の間隙の実際の大きさＬに応じて容易に調節することができる。
【００４２】
これにより、管部材１３の他端部１３ｂと内壁体１７との間隙の実際の大きさＬが想定した大きさよりも小さい場合でも、管部材１３の他端部１３ｂからの接続管本体２３の突出量を調節するために接続管本体２３を管部材１３の他端部１３ｂに強引に押し込む必要はないので、接続管本体２３を管部材１３の他端部１３ｂに強引に押し込むことによる従来のような管部材１３の破損を確実に抑制することができる。
【００４３】
また、前記したように、接続管本体２３の外周面２３ｃに、接続管本体２３の嵌合端部２３ｂからの長さ寸法を読み取るための目盛り２６が付されていることから、管部材１３の他端部１３ｂと内壁体１７との間の間隔Ｌの大きさに応じた接続管本体２３の挿入端部２３ａの切断位置を容易に視認することができる。
【００４４】
更に、前記したように、管部材１３の外周面１３ｃには、管部材１３の他端部１３ｂへの接続管本体２３の挿入端部２３ａの最大挿入量を示す表示部２１が設けられていることから、前記間隔Ｌの大きさに応じて接続管本体の一端部を切断する際、接続管本体の一端部から切断位置までの長さ寸法を計算するときに、管部材１３の他端部１３ｂへの接続管本体２３の挿入端部２３ａの挿入量を考慮して計算することができる。これにより、接続管本体２３の嵌合端部２３ｂから切断位置までの長さ寸法をより正確に求めることができる。
【００４５】
また、前記したように、接続管本体２３の嵌合端部２３ｂに、接続管１４を被取付面に取り付けるための取付座２７が設けられていることから、接続管１４を各壁体１６，１７の面、又は、各壁体１６，１７間に建材２８（図１参照。）が架け渡されている場合には該建材の下面２８ａに、給水管１１に案内された流体の流路に応じて取付座２７を介して容易に固定することができる。また、取付座２７が接続管本体２３の切断されない嵌合端部２３ｂに設けられていることから、接続管本体２３の切断時に取付座２７が切断の妨げになることはない。
【００４６】
更に、前記したように、管部材１３は、その横断面がほぼＬ字状をなすように屈曲しており、一端部１３ａには、管部材１３を被取付面に取り付けるための取付座２２が設けられていることから、給水管１１に案内される流体の流路を内壁体１７へ向けて転換するとき、管部材１３の一端部１３ａが上方又は下方へ向き且つ他端部１３ｂが内壁体１７へ向くように管部材１３を配置し、取付座２２を外壁体１６の内面１６ａに取り付けることにより、取付座２２を介して管部材１３を外壁体１６に固定することができる。また、各壁体１６，１７間に前記した建材２８が架け渡されている場合には、一端部１３ａが内壁体１７へ向くように配置し、取付座２２を前記建材２８の下面２８ａに取り付けることにより、取付座２２を介して管部材１３を前記建材２８に固定することができる。このとき、管部材１３の各端部１３ａ，１３ｂが、前記したように、互いに等しい内径を有することから、管部材１３の他端部１３ｂと給水管１１との接続が可能となる。
【００４７】
本実施例では、給水管１１が、住宅の外周壁１５内に配置された例を示したが、これに代えて、住宅の部屋と部屋とを仕切る内壁内に給水管１１を配置することができる。
【００４８】
また、本実施例では、住宅に設けられる給水管１１と給水栓１２とを互いに接続する接続構造１０に本発明を適用した例を示したが、これに代えて、住宅以外の建物に設けられる給水管及び給水栓を互いに接続する接続構造に本発明を適用することができる。
【図面の簡単な説明】
【００４９】
【図１】本発明に係る給水管と給水栓との接続構造を概略的に示す縦断面図である。
【図２】本発明に係る管部材を概略的に示す平面図である。
【図３】本発明に係る接続管を概略的に示す平面図である。
【符号の説明】
【００５０】
１０  接続構造
１１  給水管
１２  給水栓
１３  管部材
１４  接続管
１５  壁（外周壁）
１６，１７  壁体（外壁体、内壁体）
１９  雄ねじ部
２１  表示部
２３  接続管本体
２４  雌ねじ部
２５  雌ねじ部材
２６  目盛り
【図１】
2007170111.tif 000003
【図２】
2007170111.tif 000004
【図３】
2007170111.tif 000005